(57)【要約】【課題】部品の共通化や接触の信頼性を向上でき、ランプの交換が容易なこと。【解決手段】コンタクト３は、前記ランプ７のランプ端子９を接続する圧接部３ａと、接続対象物に接触する接触バネ部３ｂとを有し、前記圧接部３ａは前記ランプ端子９を接続する圧接片３ｆを有し、ランプ支持部材５は、前記圧接部３ａを収容する収容部５ａと、前記接触バネ部３ｂを保護する保護部５ｃ，５ｄとを有する。【選択図】      図１
2004335227.tif 000002
【特許請求の範囲】
【請求項１】
導電性のコンタクトと、該コンタクトを保持したランプ支持部材と、ランプ端子を有するランプとを含み、前記ランプ端子を前記コンタクトに接続するランプ保持構造において、
前記コンタクトは、前記ランプ端子を接続する圧接部と、接続対象物に接触する接触バネ部と、前記ランプ支持部材に保持する保持部とを有し、前記圧接部は、前記ランプ端子を圧入して接続する圧接片を有し、前記ランプ支持部材は、前記圧接部を収容する収容部と、前記接触バネ部を保護する保護部と、前記ランプ端子を挿入する端子挿入部とを有し、前記ランプ収容部に前記ランプを挿入して収容し前記ランプ端子を前記端子挿入部に挿入した状態で、前記収容部に挿入することによって、前記ランプ端子を前記圧接部に位置決めしかつ前記ランプ端子を接続することを特徴とするランプ保持構造。
【請求項２】
請求項１記載のランプ保持構造において、前記端子挿入部と前記圧接片を収容した前記収容部とが、互いに直交する方向に配置されていることを特徴とするランプ保持構造。
【請求項３】
請求項１又は２記載のランプ保持構造において、前記収容部に挿入されて前記ランプ支持部材に保持しかつ前記ランプを保持したカバー部材を有し、該カバー部材は、前記ランプの端部を挿入して収容するランプ収容部と、前記ランプ端子を挿入する端子挿入部と、前記圧接片を収容する圧接片収容部とを有していることを特徴とするランプ保持構造。
【発明の詳細な説明】
【０００１】
【発明の属する技術分野】
本発明は、ランプ保持構造に属し、特に、ワード・プロセッサ、パーソナル・コンピュータ及びテレビジョン受像機等の液晶ディスプレイに使用されるランプ保持構造に属する。
【０００２】
【従来の技術】
従来、バックライトの光源には、冷陰極管又は熱陰極管等の細径の蛍光管が使用されており、バックライト組立体の構造は、エッジライト型と直下型とに大別される。
【０００３】
エッジライト型は、導光板の側面に蛍光管を配置して光を誘導するものである。直下型は、上面に開口部が形成された扁平な反射板の底部に蛍光管を収納することによりランプハウスを構成し、ランプハウスからの直接光を光透過拡散板に入射させて、開口部から均一な面状光を出光させるものである。
【０００４】
直下型は、直接光を使用するから、エッジライト型と比較して光の利用効率が高いので、モニターやテレビジョン受像機等の高輝度を必要とする液晶ディスプレイのバックライトには好適である。
【０００５】
従来のバックライト組立体について、図９及び図１０を参照して説明する。まず、高圧側から説明すると、図９及び図１０に示されるように、ランプ支持台５１の上部には、複数本の蛍光管５２が配設され、各蛍光管５２は金属板５３により被覆されている。金属板５３上には、電圧供給（インバータ）基板５４が搭載され、電圧供給基板５４に複数のコネクタ５５が設置されている。
【０００６】
ランプ支持台５１には、それぞれゴムカバー５６が圧入されている。ゴムカバー５６には、蛍光管５２の一端部とケーブル５７の一端部とが保持され、蛍光管５２の端子（図示せず）とケーブル５７の導線（図示せず）とは、圧着又は半田付けにより接続される。ケーブル５７の他端部は、コネクタ５８によりコネクタ５５に接続される。
【０００７】
次に、低圧側について説明すると、各蛍光管５２の他端部は、各ケーブル５９を介して各コネクタ６０に接続される。各コネクタ６０は、グラウンド基板（図示せず）に設置された各コネクタに接続される。また、グラウンド基板は、ねじによりランプ支持台に固定される。
【０００８】
ところで、前述した従来のバックライト組立体では、蛍光管５２をゴムカバー５６、ケーブル５７及びコネクタ５８を介して電圧供給回路に接続するか、又は、ケーブル５９をグランド基板に接続するため、所要部品の点数が多く、また、作業工程数も多く、更に、蛍光管５２を交換するときに同時に他の部品も交換せざるを得ない。
【０００９】
そこで、従来のバックライト組立体を改良したバックライト組立体が提案されている。
【００１０】
バックライト組立体の先行技術としては、蛍光管の導線とコンタクトとの接続を、ランプ支持台にスライド可能に保持されたスライダーをストッパーに当接するまでスライドさせるものや、ランプ支持台に蛍光管をガイドするために円筒状のゴムラバーを取り付けたものがある（例えば、特許文献１参照）。
【００１１】
【特許文献１】
特開２００２−３６７４２２号公報（第１−７頁、図１）
【００１２】
【発明が解決しようとする課題】
しかしながら、先行技術におけるバックライト組立体では、高圧側のインバータ基板とコンタクトとの接続と、低圧側のグランド基板とコンタクトとの接続が異なるため、高圧側のコンタクトと低圧側のコンタクトは異なり、ランプ支持台も高圧側と低圧側の２種類が必要となるという問題がある。
【００１３】
また、先行技術におけるバックライト組立体では、蛍光管の導線とコンタクトとを接続する時に位置ずれを防止するものがないために、組立工程でコンタクトが変形する恐れがある。
【００１４】
それ故に本発明の課題は、一つのコンタクトによってランプ端子とコンタクトとを簡易に接続ができ、基板とコンタクトとの簡易な接続もできるランプ保持構造を提供することにある。
【００１５】
また、本発明の課題は、部品を共通化することができることによって部品点数が少なくなり、ランプ交換も容易となるランプ保持構造を提供することにある。
【００１６】
【課題を解決するための手段】
本発明によれば、導電性のコンタクトと、該コンタクトを保持したランプ支持部材と、ランプ端子を有するランプとを含み、前記ランプ端子を前記コンタクトに接続するランプ保持構造において、前記コンタクトは、前記ランプ端子を接続する圧接部と、接続対象物に接触する接触バネ部と、前記ランプ支持部材に保持する保持部とを有し、前記圧接部は、前記ランプ端子を圧入して接続する圧接片を有し、前記ランプ支持部材は、前記圧接部を収容する収容部と、前記接触バネ部を保護する保護部と、前記ランプ端子を挿入する端子挿入部とを有し、前記ランプ収容部に前記ランプを挿入して収容し前記ランプ端子を前記端子挿入部に挿入した状態で、前記収容部に挿入することによって、前記ランプ端子を前記圧接部に位置決めしかつ前記ランプ端子を接続することを特徴とするランプ保持構造が得られる。
【００１７】
【発明の実施の形態】
以下、本発明に係るランプ保持構造の一実施の形態例を説明する。図１は、本発明に係るランプ保持構造の一実施の形態例を示している。図２は、図１のＩＩ−ＩＩ線断面図ある。図３はコンタクトを示している。図４は、図１に示したランプ保持構造の外観形状を示している。図５は、図４に示したランプ保持構造の平面図である。なお、図５は、ランプを組込む前の状態で、コンタクトのみがランプ支持部材に保持されている状態を示している。
【００１８】
図１乃至図５を参照して、ランプ保持構造は、導電性のコンタクト３と、コンタクト３を保持しているランプ支持部材５と、ランプ端子（導線：デュメット線）９を有するランプ７と、ランプ７を保持したカバー部材１１とを備えている。
【００１９】
コンタクト３は、１枚の導電板をプレスにより打ち抜き、曲げ加工を施すことによって形成される。コンタクト３は、ランプ７のランプ端子９を圧入して接続する圧接部３ａと、接触バネ部３ｂと、ランプ支持部材５に圧入して保持する保持部（圧入部）３ｃと、圧接部３ａ及び接触バネ部３ｂ間を連結している連結部３ｄとを有している。
【００２０】
圧接部３ａは、ランプ支持部材５に保持した圧接基部３ｅと、ランプ端子９を圧入して接続する圧接片３ｆとを有している。圧接片３ｆは一対のものであって、圧接基部３ｅと圧接片３ｆとによってソケット形状を呈しており、一対の圧接片３ｆ間は、ランプ端子９を挿入して圧接するように切り欠き形状の端子挿入溝３ｋとなっている。
【００２１】
また、接触バネ部３ｂの自由端部には、側面から見ると略クランク状に曲げられている接続部３ｎが形成されている。接触バネ部３ｂは、インバータ基板３１もしくはグランド基板を接続部３ｎに対向させるときに、接続部３ｎがインバータ基板３１もしくはグランド基板によって図１に示す接続部３ｎ′の位置へ押し上げられ、接触バネ部３ｂ′の位置まで弾性変形することにより動作を吸収をする。接続部３ｎは、図１に示した平板形状の接続対象物としてのインバータ基板３１もしくはグランド基板に弾性接続される部分である。また、接続部３ｎを半田によって半田付け接続してもよい。この場合は、接触バネ部３ｂが、振動などを吸収する役目を果たす。なお、コンタクト３は、圧接片３ｆと接触バネ部３ｂとが、別体でどちらか一方に接触部を設け接続する構成としてもよい。
【００２２】
さらに、図１においては、インバータ基板３１の他に、保持板３３、フィルム３５を示しているが、これらの部品については後述することにする。
【００２３】
図６（Ａ）及び図６（Ｂ）は、図１に示したランプ支持部材５とカバー部材１１とを分解した状態を示している。
【００２４】
図６（Ａ）及び図６（Ｂ）とともに図１及び図２をも参照して、ランプ支持部材５は、カバー部材１１、圧接部３ａ及び連結部３ｄを収容する大きな溝形状の収容部５ａと、接触バネ部３ｂを保護する第１の保護部５ｃ及び第２の保護部５ｄと、保持部３ｃを圧入して保持する圧入溝５ｊとを有している。
【００２５】
収容部５ａは、底壁部６ａと、底壁部６ａに接続されて対向している第１の側壁部６ｂ及び第２の側壁部６ｃと、第１及び第２の側壁部６ｂ，６ｃ間を接続している一対の接続壁部６ｄとによって作られている。また、第１及び第２の側壁部６ｂ，６ｃ間には、底壁部６ａから上方へ延びている保持壁部６ｅが形成されている。
【００２６】
また、第２の側壁部６ｃは、底壁部６ａから上方への寸法が底壁部６ａから上方への第１の側壁部６ｂの寸法よりも短い寸法になっており、第２の側壁部６ｃ上の開口端にカバー部材１１の底面が設置できるようになっている。さらに、カバー部材１１の底面が第２の側壁部６ｃ上の開口端に設置したときには、保持壁部６ｅの上端面にカバー部材１１の底面が設置される。
【００２７】
第１の保護部５ｃは、接続壁部６ｄの上端面である第２の主面６ｇから上方へ延びて第２の主面６ｇに対向するようにさらに延びている。第２の保護部５ｄは、接続壁部６ｄの上端面である第１の主面６ｆから上方へ延びている。ここで、第１の主面６ｆと第２の主面６ｇとは、上下方向で段差をもっており、第２の主面６ｇが第１の主面６ｆよりも少し低く位置している。圧入溝５ｊは、第１の主面６ｆに形成されている溝である。
【００２８】
ランプ支持部材５の収容部５ａは、カバー部材１１を収容する大きな穴形状の第１収容部５ｇと、圧接基部３ｅを収納して保持する溝形状の第２収容部５ｈとを有している。第２収容部５ｈは、保持壁部６ｅの上端面から内方へ形成されている溝である。保持壁部６ｅは、第２収容部５ｈに位置している。
【００２９】
カバー部材１１は、ランプ７の端部を挿入して収容する穴形状のランプ収容部１１ａと、ランプ端子９を挿入する端子挿入部１１ｂと、圧接片３ｆを収容するように端子挿入部１１ｂを直交する方向で端子挿入部１１ｂを横切っている溝形状の圧接片収容部１１ｃとを有している。
【００３０】
なお、図７は、ランプ支持部材５を図１の上面から見た図であり、図６におけるＩＩＩ−ＩＩＩ線断面が図１に示したランプ支持部材５に相当する。図１及び図６によって明らかなように、接触バネ部３ｂは、第２の主面６ｇに対向しており、上下方向へ変位可能となっている。さらに、接触バネ部３ｂは、接触バネ部３ｂの周囲に間隔をもって形成されている第１の保護部５ｃによって保護されている。
【００３１】
また、第１及び第２の保護部５ｃ，５ｄ間には、第１の主面６ｆを交差するようにコンタクト３の連結部３ｄが収容部５ｇへ入り込むように延びており、第１の主面６ｆ上の連結部３ｄを第１及び第２の保護部５ｃ，５ｄによって保護している。第１及び第２の保護部５ｃ，５ｄは、ランプ支持部材５が転倒した時に接触バネ部３ｂを保護する役目を果たす。また、ランプ支持部材５は、コンタクト３を圧入する時に圧入治具が使用できるスペースをもつ圧入用溝５ｓを有している。
【００３２】
次に、ランプ保持構造における組立工程について、図８（Ａ）乃至図８（Ｆ）を参照して説明する。
【００３３】
まず、図８（Ａ）に示すように、ランプ７をカバー１１に組込む前に、コンタクト３をランプ支持部材５に保持しておく。そして、カバー部材１１のランプ収容部１１ａには、ランプ７の端部を図示の矢印Ｘ方向へ挿入することによって収容する。この際、ランプ端子９を端子挿入部１１ｂへ挿入する。
【００３４】
ランプ端子９を端子挿入部１１ｂに挿入した後、図８（Ｂ）に示すように、ランプ支持部材５の収容部５ａの上方にカバー部材１１を対向させる。この際、圧接片収容部１１ｃの開口端部分が収容部５ａに対向するようにカバー部材１１を位置する。このように、ランプ保持構造の組み立てでは、カバー部材１１に割れやすいランプ７を保持するため、またランプ端子９と圧接片３ｆとの接触の位置ずれをなくすため、カバー部材１１にランプ７を挿入した状態でコンタクト３と接続する。
【００３５】
さらに、図８（Ｂ）に示す矢印Ｙ方向へカバー部材１１を移動させることによって、図８（Ｃ）に示すように、カバー部材１１を収容部５ａの第１収容部５ｇへ位置させる。このようにして、ランプ端子９を端子挿入部１１ｂに挿入した後の状態でカバー部材１１を第１収容部５ｇへ挿入することによって、ランプ端子９を圧接部３ａに位置決めし、ランプ７のランプ端子９を圧接片３ｆによって挟持して接続すると、カバー部材１１をランプ支持部材７に保持した状態でランプ端子９がコンタクト３に接続される。
【００３６】
ランプ７のランプ端子９は、圧接部３ａに位置決めされ、ランプ端子９を圧接片３ｆによって挟持して接続するので、ランプ端子９と圧接片３ｆとの接続時にランプ端子９や圧接片３ｆの変形による位置ずれを防止することが可能となる。
【００３７】
次に、図１にも示した金属板である保持板３３を、図８（Ｃ）に示す矢印Ｙ方向へ移動して、図８（Ｄ）に示すように、ランプ支持部材５の第２の主面６ｇ上に設ける。その後、保持板３３上には、図８（Ｄ）に示す矢印Ｘ方向へ絶縁性のフィルム３５を設け、図８（Ｅ）の状態とする。フィルム３５は、インバータ基板３１に設けられている導体パターン（図示せず）と保持板３３との短絡防止用として、インバータ基板３１と保持板３３との間に介在されている。
【００３８】
さらに、フイルム３５上には、図８（Ｅ）に示す矢印Ｘ方向へインバータ基板３１を移動させて設け、図８（Ｆ）に示すように、インバータ基板３１を接触バネ部３ｂに接触させる。
【００３９】
ランプ７の具体的な例としては蛍光管がある。ランプ７の高圧側では、コンタクト３の接触バネ部３ｂが電圧供給基板であるインバータ基板３１上に設けられた導電パッド（図示せず）に接続する。また、ランプ７の低圧側は、グランド基板と接続される。また、保持部３ｃは、ランプ支持台５に接着によって保持するようにしてもよい。
【００４０】
高圧側及び低圧側のランプ支持部材５は、カバー部材１１に嵌合する基板がインバータ基板３１もしくはグランド基板かで異なるだけであり同一の形状である。ランプ支持部材５は、保持板３３の両端にそれぞれに保持される。ランプ支持部材５には、図５に示したように、長手方向の２個所にネジ穴５ｎが形成されており、ネジ穴５ｎに保持板３３の両端に高圧側及び低圧側のランプ支持部材５がネジ止されている。
【００４１】
なお、ランプ端子９と圧接片３ｆを接続させるには、圧接治具を用いて接続するようにしてもよい。さらに、グランド基板は基板でなくても、グランドが可能な金属板でもよい。
【００４２】
【発明の効果】
以上、実施の形態例によって説明したように、本発明に係るランプ保持構造によれば、ランプ端子と圧接片との接続時にランプをカバー部材に収容し一体としたものを、各カバー部材ごとにランプ端子をコンタクトに接続するので、カバー部材の端子挿入部、圧接片収容部にランプ端子及び圧接片が容易に位置決でき、ランプ端子や圧接片の変形による組立工程時に位置ずれを防止するので接触の信頼性を向上することができる。
【００４３】
また、一つのコンタクトによってランプ端子と圧接片との簡易な接続ができ、基板とコンタクトの簡易な接続もできるので、ケーブルレス、コネクタレスができ部品点数が少なく、カバー部材をランプ支持部材から容易に着脱できるので、ランプの交換も容易なランプ保持構造を提供できる。
【００４４】
また、高圧側のインバータ基板と低圧側のグランド基板とを同一形状のコンタクト及びランプ支持部材によって接続できるため、部品の共通化によって部品点数を低減することができる。
【図面の簡単な説明】
【図１】本発明に係るランプ保持構造の一実施の形態例を示す断面図である。
【図２】図１のＩＩ−ＩＩ線断面図である。
【図３】図１のランプ保持構造のコンタクト示す斜視図である。
【図４】図１に示したランプ保持構造の外観形状を示す正面図である。
【図５】図４に示したランプ保持構造の平面図である。
【図６】（Ａ）は図１に示したランプ保持構造を分解して示した側面図、（Ｂ）は図１に示したランプ保持構造を分解して示した断面図である。
【図７】図５に示したランプ保持構造の要部を拡大して示しており、ＩＩＩ−ＩＩＩ線断面が図１のランプ支持部材の断面図に相当する平面図である。
【図８】（Ａ）〜（Ｆ）は、図１に示したランプ保持構造の組立工程を説明するための説明図である。
【図９】先行技術におけるバックライト組立体を示す斜視図である。
【図１０】図９に示したバックライト組立体の全体構成を示す正面図である。
【符号の説明】
３    コンタクト
３ａ    圧接部
３ｂ，３ｂ′    接触バネ部
３ｃ    保持部（圧入部）
３ｅ    圧接基部
３ｆ    圧接片
３ｎ，３ｎ′    接続部
５    ランプ支持部材
５ａ    収容部
５ｃ    第１の保護部
５ｄ    第２の保護部
５ｇ    第１収容部
５ｈ    第２収容部
６ｆ    第１の主面
６ｇ    第２の主面
７    ランプ
９    ランプ端子
１１    カバー部材
１１ａ    ランプ収容部
１１ｂ    端子挿入部
１１ｃ    圧接片収容部
３１    インバータ基板
３３    保持板
３５    フィルム
５１    ランプ支持台
５２    蛍光管
５３    金属板
５４    電圧供給（インバータ）基板
５５，５８，６０    コネクタ
５６    ゴムカバー
５７，５９    ケーブル
【図１】
2004335227.tif 000003
【図２】
2004335227.tif 000004
【図３】
2004335227.tif 000005
【図４】
2004335227.tif 000006
【図５】
2004335227.tif 000007
【図６】
2004335227.tif 000008
【図７】
2004335227.tif 000009
【図８】
2004335227.tif 000010
【図９】
2004335227.tif 000011
【図１０】
2004335227.tif 000012